(57)【要約】【課題】リア側ではデュアルモードで本体装置の電源を立ち上げることができない。【解決手段】ＣＤ等の複数の音源１２，１３，１４と、この音源からの音声信号を音声出力するスピーカ５及びヘッドホン６と、フロント側操作部３からの操作に応じて、一の音源からの音声信号をスピーカから音声出力するシングルモード、又は一の音源からの音声信号をスピーカから音声出力しながら、他の音源からの音声信号をヘッドホンから音声出力するデュアルモードに設定可能なモード設定部３７とを備えた本体装置２であって、外部ＤＶＤ装置７を外部接続する外部接続部１１と、この本体装置の電源がＯＦＦ中に、外部ＤＶＤ装置又はリア側操作部４からの電源起動要求信号を検出すると、デュアルモードで本体装置の電源を立ち上げるように、モード設定部を制御する制御部３８とを有している。【選択図】　図３
2004118939.tif 000002
【特許請求の範囲】
【請求項１】
複数の音源と、この音源からの音声信号を音声出力する第１出力手段及び第２出力手段と、所定操作に応じて、前記複数の音源の内、一の音源からの音声信号を前記第１出力手段から音声出力する第１モード、又は前記複数の音源の内、一の音源からの音声信号を前記第１出力手段から音声出力しながら、他の音源からの音声信号を前記第２出力手段から音声出力する第２モードに切換設定可能なモード設定手段とを備えた音響装置であって、
この音響装置を遠隔操作する遠隔操作手段と、
この音響装置の電源がＯＦＦ中に、前記遠隔操作手段からの電源起動要求信号を検出すると、前記第２モードで電源を立ち上げるように、前記モード設定手段を制御する制御手段とを有することを特徴とする音響装置。
【請求項２】
前記遠隔操作手段を備えた電子機器を外部接続する外部接続手段を有し、
前記制御手段は、
この音響装置の電源がＯＦＦ中に、前記外部接続手段を通じて前記遠隔操作手段からの電源起動要求信号を検出すると、前記第２モードで電源を立ち上げるように、前記モード設定手段を制御する制御手段とを有することを特徴とする請求項１記載の音響装置。
【請求項３】
複数の音源と、この音源からの音声信号を音声出力する第１出力手段及び第２出力手段と、所定操作に応じて、前記複数の音源の内、一の音源からの音声信号を前記第１出力手段から音声出力する第１モード、又は前記複数の音源の内、一の音源からの音声信号を前記第１出力手段から音声出力しながら、他の音源からの音声信号を前記第２出力手段から音声出力する第２モードに切換設定可能なモード設定手段とを備えた音響装置であって、
電子機器を外部接続する外部接続手段と、
この音響装置の電源がＯＦＦ中に、前記外部接続手段を通じて前記電子機器からの電源起動要求信号を検出すると、前記第２モードで電源を立ち上げるように、前記モード設定手段を制御する制御手段とを有することを特徴とする音響装置。
【請求項４】
前記外部接続手段を通じて得られる電源起動要求信号は、
前記電子機器の電源投入に応じて、この電子機器から出力される信号としたことを特徴とする請求項２又は３記載の音響装置。
【請求項５】
前記外部接続手段を通じて得られる電源起動要求信号は、
前記電子機器内への記録媒体の挿入に応じて、この電子機器から出力される信号としたことを特徴とする請求項２又は３記載の音響装置。
【請求項６】
前記制御手段は、
この音響装置の電源がＯＦＦ中に、前記第２モードで電源が立ち上がると、前記第１出力手段の音声出力を停止状態に設定することを特徴とする請求項１、２、３、４又は５記載の音響装置。
【請求項７】
前記制御手段は、
この音響装置の電源がＯＦＦ中に、前記第２モードで電源が立ち上がると、電源が立ち上がったことを示す電源起動情報を表示手段に表示させることを特徴とする請求項１、２、３、４、５又は６記載の音響装置。
【請求項８】
この音響装置の電源が切断されると、この電源切断直前の第１出力手段で音声出力していた音声信号の音源に関わる音源情報をラスト音源情報として記憶するラスト情報記憶手段を有し、
前記制御手段は、
この音響装置の電源がＯＦＦ中に、前記第２モードで電源が立ち上がると、前記ラスト情報記憶手段に記憶中のラスト音源情報を前記電源起動情報として前記表示手段に表示させることを特徴とする請求項７記載の音響装置。
【発明の詳細な説明】
【０００１】
【発明の属する技術分野】
本発明は、例えばＣＤ、ＭＤやラジオ等の複数の音源と、各音源からの音声信号を音声出力するスピーカ及びヘッドホンとを有し、これらスピーカ及びヘッドホン双方で異なる音源からの音声信号を同時に音声出力することができる機能、例えばデュアルメディア機能を備えたオーディオ装置等の音響装置に関する。
【０００２】
【従来の技術】
近年、このようなデュアルメディア機能を備えたオーディオ装置としては、車載用オーディオシステムに適用されている。
【０００３】
図５は一般的なデュアルメディア機能を備えた車載用オーディオシステムの全体構成を示すシステム構成図である。
【０００４】
図５に示す車載用オーディオシステム１００は、車室内のフロント側に配置され、例えばＣＤやラジオ等の複数の音源機能を備えた本体装置１０１と、フロント側で本体装置１０１を操作するフロント側操作部１０２と、車室内のリア側で本体装置１０１を遠隔操作するリア側操作部１０３と、本体装置１０１と接続し、この本体装置１０１の音源機能からの音声信号を音声出力するスピーカ１０４及びヘッドホン１０５とを有している。
【０００５】
スピーカ１０４は、フロント側に配置された２台のフロント側スピーカ１０４Ａと、リア側に配置された２台のリア側スピーカ１０４Ｂとで構成している。また、ヘッドホン１０５は、リア側に配置されるものとする。
【０００６】
尚、フロント側操作部１０２は、フロント側に配置された本体装置１０１の前面パネルに相当し、リア側操作部１０３は、リア側に配置されたリモコン操作部に相当するものである。
【０００７】
本体装置１０１では、デュアルメディア機能を有し、フロント側操作部１０２からの所定操作に応じて、シングルモード又はデュアルモードに切換設定可能である。
【０００８】
シングルモードとは、複数の音源の内、一の音源からの音声信号をスピーカ１０４からのみ音声出力する設定モードである。
【０００９】
デュアルモードとは、複数の音源の内、一の音源からの音声信号をスピーカ１０４で音声出力しながら、他の音源からの音声信号をヘッドホン１０５で音声出力する設定モードである。
【００１０】
本体装置１０１では、例えばフロント側の搭乗者がラジオ、リア側の搭乗者がＣＤといったように異なる音源の提供を求めた場合、フロント側操作部１０２を所定操作することでデュアルモードに設定し、フロント側搭乗者が所望するラジオからの音声信号をスピーカ１０４から音声出力し、リア側搭乗者が所望するＣＤからの音声信号をヘッドホン１０５から音声出力することができる。
【００１１】
つまり、フロント側搭乗者とリア側搭乗者とは、スピーカ１０４及びヘッドホン１０５を通じて、夫々異なる音源からの音声信号の提供を受けることができる。
【００１２】
このようなデュアルメディア機能を備えた車載用オーディオシステム１００によれば、フロント側操作部１０２の所定操作に応じてデュアルモードに設定可能とし、このデュアルモード設定中においては、スピーカ１０４及びヘッドホン１０５を通じて異なる音源を提供することができるようにしたので、フロント側及びリア側の搭乗者は、スピーカ１０４及びヘッドホン１０５を通じて、夫々異なる音源からの音声信号の提供を受けることができる。
【００１３】
【発明が解決しようとする課題】
しかしながら、上記デュアルメディア機能を備えた車載用オーディオシステム１００によれば、例えば本体装置１０１の電源ＯＦＦ中に、リア側の搭乗者がフロント側の搭乗者と異なる音源の提供を求める場合、リア側搭乗者はリア側操作部１０３で本体装置１０１の電源を立ち上げることができるものの、デュアルモードで電源を立ち上げることはできず、リア側の搭乗者はフロント側の搭乗者に頼んでフロント側操作部１０２を通じてデュアルモードに設定しなければならず、フロント側搭乗者に操作負担がかかる。
【００１４】
本発明は上記点に鑑みてなされたものであり、その目的とするところは、電源ＯＦＦ中であっても、遠隔操作により、デュアルモードで電源を立ち上げることができる音響装置を提供することにある。
【００１５】
【課題を解決するための手段】
上記目的を達成するために本発明の音響装置は、複数の音源と、この音源からの音声信号を音声出力する第１出力手段及び第２出力手段と、所定操作に応じて、前記複数の音源の内、一の音源からの音声信号を前記第１出力手段から音声出力する第１モード、又は前記複数の音源の内、一の音源からの音声信号を前記第１出力手段から音声出力しながら、他の音源からの音声信号を前記第２出力手段から音声出力する第２モードに切換設定可能なモード設定手段とを備えた音響装置であって、この音響装置を遠隔操作する遠隔操作手段と、この音響装置の電源がＯＦＦ中に、前記遠隔操作手段からの電源起動要求信号を検出すると、前記第２モードで電源を立ち上げるように、前記モード設定手段を制御する制御手段とを有するようにした。
【００１６】
従って、本発明の音響装置によれば、音響装置の電源がＯＦＦ中に、遠隔操作手段からの電源起動要求信号を検出すると、例えばデュアルモード等の第２モードで電源を立ち上げるようにしたので、例えば車室内のリア側に配置された遠隔操作手段からでも、フロント側搭乗者の操作負担を煩わすことなく、デュアルモードで電源を立ち上げることができる。
【００１７】
本発明の音響装置は、前記遠隔操作手段を備えた電子機器を外部接続する外部接続手段を有し、前記制御手段は、この音響装置の電源がＯＦＦ中に、前記外部接続手段を通じて前記遠隔操作手段からの電源起動要求信号を検出すると、前記第２モードで電源を立ち上げるように、前記モード設定手段を制御する制御手段とを有するようにした。
【００１８】
従って、本発明の音響装置によれば、この音響装置の電源がＯＦＦ中に、外部接続した電子機器の遠隔操作手段からの電源起動要求信号を検出すると、前記第２モードで電源を立ち上げるようにしたので、例えば車室内のリア側に配置された電子機器と接続した場合、このリア側に配置された電子機器からでも、フロント側搭乗者の操作負担を煩わすことなく、デュアルモードで電源を立ち上げることができる。
【００１９】
本発明の音響装置は、複数の音源と、この音源からの音声信号を音声出力する第１出力手段及び第２出力手段と、所定操作に応じて、前記複数の音源の内、一の音源からの音声信号を前記第１出力手段から音声出力する第１モード、又は前記複数の音源の内、一の音源からの音声信号を前記第１出力手段から音声出力しながら、他の音源からの音声信号を前記第２出力手段から音声出力する第２モードに切換設定可能なモード設定手段とを備えた音響装置であって、電子機器を外部接続する外部接続手段と、この音響装置の電源がＯＦＦ中に、前記外部接続手段を通じて前記電子機器からの電源起動要求信号を検出すると、前記第２モードで電源を立ち上げるように、前記モード設定手段を制御する制御手段とを有するようにした。
【００２０】
従って、本発明の音響装置によれば、電子機器を外部接続し、この音響措置の電源がＯＦＦ中に、電子機器からの電源起動要求信号を検出すると、例えばデュアルモード等の第２モードで電源を立ち上げるようにしたので、例えば車室内のリア側に配置された電子機器と接続した場合、このリア側に配置された電子機器からでも、フロント側搭乗者の操作負担を煩わすことなく、デュアルモードで電源を立ち上げることができる。
【００２１】
本発明の音響装置は、前記外部接続手段を通じて得られる電源起動要求信号が、前記電子機器の電源投入に応じて、この電子機器から出力される信号とした。
【００２２】
従って、本発明の音響装置によれば、電子機器の電源投入に応じて、この電子機器から出力される信号を電源起動要求信号としたので、例えばリア側に配置された電子機器の電源投入に連動して、フロント側搭乗者の操作負担を煩わすことなく、デュアルモードで音響装置の電源を立ち上げることができる。
【００２３】
本発明の音響装置は、前記外部接続手段を通じて得られる電源起動要求信号が、前記電子機器内への記録媒体の挿入に応じて、この電子機器から出力される信号とした。
【００２４】
従って、本発明の音響装置によれば、電子機器内への記録媒体の挿入に応じて、この電子機器から出力される信号を電源起動要求信号としたので、例えばリア側に配置された電子機器への再生ディスク等の記録媒体の挿入に連動して、フロント側搭乗者の操作負担を煩わすことなく、デュアルモードで音響装置の電源を立ち上げることができる。
【００２５】
本発明の音響装置は、前記制御手段が、この音響装置の電源がＯＦＦ中に、前記第２モードで電源が立ち上がると、前記第１出力手段の音声出力を停止状態に設定するようにした。
【００２６】
従って、本発明の音響装置によれば、この音響装置の電源がＯＦＦ中に、例えばデュアルモード等の第２モードで電源が立ち上がると、例えばスピーカ等の第１出力手段の音声出力を停止状態としたので、例えばリア側の搭乗者がデュアルモードで電源を立ち上げたとしても、突然のスピーカ出力でフロント側搭乗者を脅かすような事態を確実に防止することができる。
【００２７】
本発明の音響装置は、前記制御手段が、この音響装置の電源がＯＦＦ中に、前記第２モードで電源が立ち上がると、電源が立ち上がったことを示す電源起動情報を表示手段に表示させるようにした。
【００２８】
従って、本発明の音響装置によれば、この音響装置の電源がＯＦＦ中に、例えばデュアルモード等の第２モードで電源が立ち上がると、電源が立ち上がったことを示す電源起動情報を表示手段に表示させるようにしたので、例えばリア側の搭乗者がデュアルモードで電源を立ち上げたとしても、フロント側の搭乗者は、表示手段の表示内容に基づいて電源が立ち上がっていることを視覚的に認識することができる。
【００２９】
本発明の音響装置は、この音響装置の電源が切断されると、この電源切断直前の第１出力手段で音声出力していた音声信号の音源に関わる音源情報をラスト音源情報として記憶するラスト情報記憶手段を有し、前記制御手段は、この音響装置の電源がＯＦＦ中に、前記第２モードで電源が立ち上がると、前記ラスト情報記憶手段に記憶中のラスト音源情報を前記電源起動情報として前記表示手段に表示させるようにした。
【００３０】
従って、本発明の音響装置によれば、この音響装置の電源がＯＦＦ中に、例えばデュアルモード等の第２モードで電源が立ち上がると、ラスト情報記憶手段に記憶中のラスト音源情報を電源起動情報として表示手段に表示させるようにしたので、例えばリア側の搭乗者がデュアルモードで電源を立ち上げたとしても、フロント側の搭乗者は、表示手段の表示内容に基づいて電源が立ち上がっていることを視覚的に認識することができる。
【００３１】
【発明の実施の形態】
以下、図面に基づいて本発明の音響装置における実施の形態を示すデュアルメディア機能を備えた車載用オーディオシステムについて説明する。図１は本実施の形態を示す車載用オーディオシステムの全体構成を示すシステム構成図である。
【００３２】
図１に示す車載用オーディオシステム１は、車室内のフロント側に配置され、例えばＣＤやラジオ等の複数の音源機能を備えた本体装置２と、フロント側で本体装置２を操作するフロント側操作部３と、車室内のリア側で本体装置２を遠隔操作するリア側操作部４と、本体装置２と接続し、この本体装置２の音源機能からの音声信号を音声出力するスピーカ５及びヘッドホン６とを有している。
【００３３】
さらに、車載用オーディオシステム１は、本体装置２と外部接続する電子機器、例えば外部ＤＶＤ装置７を有している。
【００３４】
スピーカ５は、フロント側に配置された２台のフロント側スピーカ５Ａと、リア側に配置された２台のリア側スピーカ５Ｂとで構成している。また、ヘッドホン６は、リア側に配置されるものとする。
【００３５】
尚、フロント側操作部３は、フロント側に配置された本体装置２の前面パネルに相当し、リア側操作部４は、リア側に配置されたリモコン操作部に相当するものである。
【００３６】
図２は本実施の形態に関わる本体装置２内部の概略構成を示すブロック図である。
【００３７】
図２に示す本体装置２は、外部ＤＶＤ装置７と接続する外部接続部１１と、複数の音源であるＣＤ再生部１２、ＡＭ／ＦＭラジオ用チューナ部１３や衛星ラジオ放送（ＳＡＴ）用チューナ部１４と、これら外部ＤＶＤ装置７、ＣＤ再生部１２、ＡＭ／ＦＭラジオ用チューナ部１３及び衛星ラジオ用チューナ部１４を含めた複数の音源の内、スピーカ５へ出力する音源を出力選択するスピーカ出力切換部１５と、複数の音源の内、ヘッドホン６へ出力する音源を出力選択するヘッドホン出力切換部１６と、スピーカ出力切換部１５で出力選択した音源からスピーカ５への音声信号をミュート制御するスピーカ側ミュート回路１７と、リア側スピーカ５Ｂへの音声信号をミュート制御するリア側ミュート回路１８と、ヘッドホン出力切換部１６で出力選択した音源からヘッドホン６への音声信号をミュート制御するヘッドホン側ミュート回路１９と、様々な情報を表示する表示部２０と、この本体装置２全体を制御するマイコン２１とを有している。
【００３８】
本体装置２は、デュアルメディア機能を有し、フロント側操作部３又はリア側操作部４からの所定操作に応じて、シングルモード又はデュアルモードに切換設定可能である。
【００３９】
シングルモードとは、複数の音源の内、一の音源からの音声信号をスピーカ５からのみ音声出力する設定モードである。
【００４０】
デュアルモードとは、複数の音源の内、一の音源からの音声信号をスピーカ５で音声出力しながら、他の音源からの音声信号をヘッドホン６で音声出力する設定モードである。
【００４１】
このデュアルモードには、通常デュアルモードと特殊デュアルモードとがあり、通常デュアルモードとは、本体装置２の電源がＯＮ中にデュアルモードを受け付けた場合に設定されるデュアルモードであり、特殊デュアルモードとは、本体装置２の電源がＯＦＦ中にリア側操作部４又は外部ＤＶＤ装置７からの電源起動要求信号に応じて本体装置２の電源を立ち上げた際に設定されるデュアルモードである。尚、これら通常デュアルモード及び特殊デュアルモードは、個々に設定される別個のシステム設定モードというものではなく、一つのデュアルモードであり、説明の便宜上、設定条件に応じて通常デュアルモードと特殊デュアルモードとを分けて表現したにすぎないものである。
【００４２】
尚、外部ＤＶＤ装置７からの電源起動要求信号とは、例えば外部ＤＶＤ装置７の電源投入や、外部ＤＶＤ装置７のディスク挿入、外部ＤＶＤ装置７の再生操作に応じて出力する信号であり、リア側操作部４からの電源起動要求信号とは、リア側操作部４から本体装置２への電源起動要求に応じて出力する信号である。
【００４３】
図３は本実施の形態に関わる本体装置２のマイコン２１内部の概略構成を示すブロック図である。
【００４４】
図３に示すマイコン２１は、外部接続部１１を通じて外部ＤＶＤ装置７を監視する外部接続監視部３１と、スピーカ出力切換部１５及びヘッドホン出力切換部１６を制御する出力切換制御部３２と、スピーカ側ミュート回路１７、リア側ミュート回路１８及びヘッドホン側ミュート回路１９を制御するミュート制御部３３と、フロント側操作部３及びリア側操作部４からの入力操作を検出する操作検出部３４と、表示部２０を表示制御する表示制御部３５と、例えばシングルモードやデュアルモード等の動作モードに関わる設定内容を記憶したモード設定記憶部３６と、このモード設定記憶部３６に記憶した設定内容に基づいて動作モードを設定するモード設定部３７と、このマイコン２１全体を制御する制御部３８とを有している。
【００４５】
モード設定記憶部３６は、シングルモードの設定内容を記憶したシングルモード設定メモリ３６Ａと、デュアルモードの設定内容を記憶したデュアルモード設定メモリ３６Ｂと、本体装置２の電源ＯＦＦ直前にスピーカ５で音声出力していた最後の音声信号の音源をラスト音源情報として記憶するラストモード設定メモリ３６Ｃとを有している。
【００４６】
尚、ラストモード設定メモリ３６Ｃは、本体装置２の電源がＯＦＦされると、この電源ＯＦＦ直前のスピーカ５で音声出力していた最後の音声信号の音源、例えば外部ＤＶＤ装置７、ＣＤ再生部１２、ＡＭ／ＦＭラジオ用チューナ部１３、衛星ラジオ用チューナ部１４等の音源を識別する音源情報をラスト音源情報として記憶するものである。
【００４７】
シングルモード設定メモリ３６Ａに記憶するシングルモードの設定内容としては、フロント側スピーカ５Ａ及びリア側スピーカ５Ｂからの音声出力のみを有効とする設定モードであることから、スピーカ側ミュート回路１７及びリア側ミュート回路１８をミュートＯＦＦ、ヘッドホン側ミュート回路１９をミュートＯＮとしている。
【００４８】
デュアルモード設定メモリ３６Ｂには、通常デュアルモード及び特殊デュアルモードに関わる設定内容が記憶されており、通常デュアルモードの設定内容としては、フロント側スピーカ５Ａ及びヘッドホン６からの音声出力を異なる音源とし、これらフロント側スピーカ５Ａ及びヘッドホン６からの音声出力を有効とする設定モードであることから、スピーカ側ミュート回路１７をミュートＯＦＦ、リア側ミュート回路１８をミュートＯＮ、ヘッドホン側ミュート回路１９をミュートＯＦＦとしている。
【００４９】
また、特殊デュアルモードの設定内容としては、フロント側スピーカ５Ａ及びヘッドホン６からの音声出力を異なる音源とし、ヘッドホン６からの音声出力のみを有効とする設定モードであることから、スピーカ側ミュート回路１７及びリア側ミュート回路１８をミュートＯＮ、ヘッドホン側ミュート回路１９をミュートＯＦＦとしている。
【００５０】
モード設定部３７は、デュアルモード設定メモリ３６Ｂ及びシングルモード設定メモリ３６Ａの設定内容に基づいて動作モードを設定し、さらに、ミュート制御部３３では、その設定内容に基づいて、スピーカ側ミュート回路１７、リア側ミュート回路１８及びヘッドホン側ミュート回路１９を制御するものである。
【００５１】
出力切換制御部３２は、複数の音源の内、指定の音源からの音声信号を出力選択するスピーカ出力切換部１５及びヘッドホン出力切換部１６を制御するものである。
【００５２】
尚、請求項記載の音響装置は本体装置２、遠隔操作手段はリア側操作部４、第１出力手段はスピーカ５、第２出力手段はヘッドホン６、電子機器は外部ＤＶＤ装置７、外部接続手段は外部接続部１１、音源はＣＤ再生部１２、ＡＭ／ＦＭラジオ用チューナ部１３や衛星ラジオ用チューナ部１４、表示手段は表示部２０、モード設定手段はモード設定記憶部３６及びモード設定部３７、制御手段は制御部３８、第１モードはシングルモード、第２モードはデュアルモードに相当するものである。
【００５３】
次に本実施の形態を示す車載用オーディオシステム１の動作について説明する。
【００５４】
例えば外部ＤＶＤ装置７からの音声信号を提供するシングルモードが設定された場合、出力切換制御部３２では、外部ＤＶＤ装置７からの音声信号を選択出力するようにスピーカ出力切換部１５を制御する。
【００５５】
さらに、ミュート制御部３３では、シングルモード設定メモリ３６Ａに記憶中の設定内容に基づいて、スピーカ側ミュート回路１７及びリア側ミュート回路１８をミュートＯＦＦし、ヘッドホン側ミュート回路１９をミュートＯＮする。
【００５６】
つまり、本体装置２では、外部ＤＶＤ装置７からの音声信号をフロント側スピーカ５Ａ及びリア側スピーカ５Ｂからのみ音声出力し、ヘッドホン６からは音声出力しない。
【００５７】
また、リア側の搭乗者に外部ＤＶＤ装置７からの音声信号、フロント側の搭乗者にＣＤ再生部１２からの音声信号を提供する通常デュアルモードが設定された場合、出力切換制御部３２では、ＣＤ再生部１２からの音声信号を選択出力するようにスピーカ出力切換部１５を制御し、外部ＤＶＤ装置７からの音声信号を選択出力するようにヘッドホン出力切換部１６を制御する。
【００５８】
さらに、ミュート制御部３３では、デュアルモード設定メモリ３６Ｂに記憶中の通常デュアルモードの設定内容に基づいて、スピーカ側ミュート回路１７をミュートＯＦＦ、リア側ミュート回路１８をミュートＯＮ、ヘッドホン側ミュート回路１９をミュートＯＦＦする。
【００５９】
つまり、本体装置２では、リア側スピーカ５Ｂからは音声出力することなく、フロント側スピーカ５Ａからのみ、ＣＤ再生部１２からの音声信号を音声出力し、ヘッドホン６からは外部ＤＶＤ装置７からの音声信号を音声出力することができる。
【００６０】
また、リア側の搭乗者に外部ＤＶＤ装置７からの音声信号を提供する特殊デュアルモードが設定された場合、出力切換制御部３２は、ラストモード設定メモリ３６Ｃに記憶中のラスト音源情報に基づいて音源を選択し、この音源からの音声信号を選択出力するようにスピーカ出力切換部１５を制御すると共に、外部ＤＶＤ装置７からの音声信号を選択出力するようにヘッドホン出力切換部１６を制御する。
【００６１】
さらに、ミュート制御部３３では、デュアルモード設定メモリ３６Ｂに記憶中の特殊デュアルモードの設定内容に基づいて、スピーカ側ミュート回路１７及びリア側ミュート回路１８をミュートＯＮ、ヘッドホン側ミュート回路１９をミュートＯＦＦする。
【００６２】
つまり、本体装置２では、フロント側スピーカ５Ａ及びリア側スピーカ５Ｂからは音声出力することなく、ヘッドホン６からのみ、外部ＤＶＤ装置７からの音声信号を音声出力することができる。
【００６３】
次に本体装置２の起動時モード設定処理について説明する。図４は本体装置２の起動時モード設定処理に関わるマイコン２１の処理動作を示すフローチャートである。
【００６４】
図４に示す起動時モード設定処理とは、電源起動要求信号を検出すると、この電源起動要求信号の種別に応じてシングルモード又はデュアルモードで本体装置２の電源を立ち上げる処理である。
【００６５】
図４においてマイコン２１の制御部３８は、電源起動要求信号を検出したか否かを判定する（ステップＳ１１）。尚、電源起動要求信号とは、本体装置２の電源立ち上げを要求する信号である。
【００６６】
制御部３８は、電源起動要求信号を検出したのであれば、この電源起動要求信号が外部ＤＶＤ装置７又はリア側操作部４からの電源起動要求信号であるか否かを判定する（ステップＳ１２）。尚、外部ＤＶＤ装置７からの電源起動要求信号とは、例えば外部ＤＶＤ装置７の電源投入や、外部ＤＶＤ装置７のディスク挿入や、外部ＤＶＤ装置７の再生操作に応じて出力する信号であり、リア側操作部４からの電源起動要求信号とは、リア側操作部４から本体装置２への電源起動要求に応じて出力する信号である。
【００６７】
制御部３８は、外部ＤＶＤ装置７又はリア側操作部４からの電源起動要求信号であると判定されると、デュアルモード設定メモリ３６Ｂに記憶中の設定内容に基づいて特殊デュアルモードに設定する（ステップＳ１３）。
【００６８】
尚、例えば外部ＤＶＤ装置７からの電源起動要求信号に応じて特殊デュアルモードを設定する場合、出力切換制御部３２は、ラストモード設定メモリ３６Ｃに記憶中のラスト音源情報に基づいてラスト音源を選択し、この音源からの音声信号を選択出力するようにスピーカ出力切換部１５を制御すると共に、外部ＤＶＤ装置７からの音声信号を選択出力するようにヘッドホン出力切換部１６を制御する。
【００６９】
さらに、ミュート制御部３３では、デュアルモード設定メモリ３６Ｂに記憶中の特殊デュアルモードの設定内容に基づいて、スピーカ側ミュート回路１７及びリア側ミュート回路１８をミュートＯＮ、ヘッドホン側ミュート回路１９をミュートＯＦＦする。
【００７０】
つまり、本体装置２では、特殊デュアルモードで電源を立ち上げ、フロント側スピーカ５Ａ及びリア側スピーカ５Ｂからは音声出力することなく、ヘッドホン６からのみ、外部ＤＶＤ装置７からの音声信号を音声出力する。
【００７１】
また、ステップＳ１３にてリア側操作部４からの電源起動要求信号に応じて特殊デュアルモードを設定する場合、出力切換制御部３２は、ラストモード設定メモリ３６Ｃに記憶中のラスト音源情報に基づいてラスト音源を選択し、この音源からの音声信号を選択出力するようにスピーカ出力切換部１５を制御すると共に、リア側操作部４で指定した音源からの音声信号を選択出力するようにヘッドホン出力切換部１６を制御する。
【００７２】
さらに、ミュート制御部３３では、デュアルモード設定メモリ３６Ｂに記憶中の特殊デュアルモードの設定内容に基づいて、スピーカ側ミュート回路１７及びリア側ミュート回路１８をミュートＯＮ、ヘッドホン側ミュート回路１９をミュートＯＦＦする。
【００７３】
つまり、本体装置２では、特殊デュアルモードで電源を立ち上げ、フロント側スピーカ５Ａ及びリア側スピーカ５Ｂからは音声出力することなく、ヘッドホン６からはリア側操作部４で指定した音源からの音声信号を音声出力する。
【００７４】
マイコン２１の表示制御部３５は、ステップＳ１３にて特殊デュアルモードを設定すると、フロント側スピーカ５Ａ及びリア側スピーカ５Ｂから音声出力することなく、ヘッドホン６からのみ音声信号を音声出力していることから、フロント側スピーカ５Ａで音声出力すべきミュート中の音源情報を表示部２０に表示させ（ステップＳ１４）、この処理動作を終了する。尚、フロント側の搭乗者は、表示部２０の表示内容に基づいて電源が立ち上がったことを視覚的に認識することができる。
【００７５】
マイコン２１の制御部３８は、ステップＳ１２にて外部ＤＶＤ装置７又はリア側操作部４からの電源起動要求信号でないと判定されると、シングルモード設定メモリ３６Ａに記憶中の設定内容に基づいてシングルモードを設定する（ステップＳ１５）。
【００７６】
尚、シングルモードを設定する場合、出力切換制御部３２は、ラストモード設定メモリ３６Ｃに記憶中のラスト音源情報に基づいてラスト音源を選択し、この音源からの音声信号を選択出力するようにスピーカ出力切換部１５を制御する。
【００７７】
さらに、ミュート制御部３３は、シングルモード設定メモリ３６Ｃに記憶中の設定内容に基づいて、スピーカ側ミュート回路１７及びリア側ミュート回路１８をミュートＯＦＦし、ヘッドホン側ミュート回路１９をミュートＯＮする。
【００７８】
つまり、本体装置２では、フロント側スピーカ５Ａ及びリア側スピーカ５Ｂからのみ音声信号を音声出力し、ヘッドホン６からは音声出力しないものである。
【００７９】
マイコン２１の表示制御部３５は、ステップＳ１５にてシングルモードを設定すると、ヘッドホン６から音声出力することなく、フロント側スピーカ５Ａ及びリア側スピーカ５Ｂからのみ音声信号を音声出力していることから、現在スピーカ出力中の音源に関わる音源情報を表示部２０に表示させ（ステップＳ１６）、この処理動作を終了する。
【００８０】
図４に示す起動時モード設定処理によれば、本体装置２の電源ＯＦＦ中にフロント側操作部３からの電源起動要求信号を検出すると、シングルモードで電源を立ち上げ、本体装置２の電源ＯＦＦ中にリア側操作部４又は外部ＤＶＤ装置７からの電源起動要求信号を検出すると、特殊デュアルモードで電源を立ち上げるようにしたので、車室内のリア側に配置されたリア側操作部４又は外部ＤＶＤ装置７からでも、フロント側搭乗者の操作負担をかけることなく、特殊デュアルモードで電源を立ち上げることができる。
【００８１】
本実施の形態によれば、本体装置２の電源がＯＦＦ中に、リア側操作部４又は外部ＤＶＤ装置７からの電源要求起動信号を検出すると、特殊デュアルモードで電源を立ち上げるようにしたので、例えば車室内のリア側に配置されたリア側操作部４や外部ＤＶＤ装置７からでも、フロント側搭乗者の操作負担を煩わすことなく、特殊デュアルモードで電源を立ち上げることができる。
【００８２】
本実施の形態によれば、外部ＤＶＤ装置７の電源投入に応じて、この外部ＤＶＤ装置７から出力される電源起動要求信号を検出すると、特殊デュアルモードで電源を立ち上げるようにしたので、例えばリア側に配置された外部ＤＶＤ装置７の電源投入に連動して、フロント側搭乗者の操作負担を煩わすことなく、特殊デュアルモードで本体装置２の電源を立ち上げることができる。
【００８３】
本実施の形態によれば、外部ＤＶＤ装置７内へのディスクの挿入に応じて、この外部ＤＶＤ装置７から出力される電源起動要求信号を検出すると、特殊デュアルモードで電源を立ち上げるようにしたので、例えばリア側に配置された外部ＤＶＤ装置７へのディスクの挿入に連動して、フロント側搭乗者の操作負担を煩わすことなく、特殊デュアルモードで本体装置２の電源を立ち上げることができる。
【００８４】
本実施の形態によれば、この本体装置２の電源がＯＦＦ中に、特殊デュアルモードで本体装置２の電源が立ち上がると、フロント側スピーカ５Ａ及びリア側スピーカ５Ｂの音声出力を停止状態としたので、例えばリア側の搭乗者が特殊デュアルモードで本体装置２の電源を立ち上げたとしても、突然のスピーカ出力でフロント側搭乗者を脅かすような事態を確実に防止することができる。
【００８５】
本実施の形態によれば、本体装置２の電源がＯＦＦ中に、特殊デュアルモードで電源が立ち上がると、フロント側スピーカ５Ａで音声出力すべきミュート中の音源情報を表示部２０に表示させるようにしたので、例えばリア側の搭乗者が特殊デュアルモードで本体装置２の電源を立ち上げたとしても、フロント側の搭乗者は、表示部２０の表示内容に基づいて電源が立ち上がっていることを視覚的に認識することができる。
【００８６】
【発明の効果】
上記のように構成された本発明の音響装置によれば、音響装置の電源がＯＦＦ中に、遠隔操作手段からの電源起動要求信号を検出すると、例えばデュアルモード等の第２モードで電源を立ち上げるようにしたので、例えば車室内のリア側に配置された遠隔操作手段からでも、フロント側搭乗者の操作負担を煩わすことなく、デュアルモードで電源を立ち上げることができる。
【００８７】
本発明の音響装置によれば、この音響装置の電源がＯＦＦ中に、外部接続した電子機器の遠隔操作手段からの電源起動要求信号を検出すると、前記第２モードで電源を立ち上げるようにしたので、例えば車室内のリア側に配置された電子機器と接続した場合、このリア側に配置された電子機器からでも、フロント側搭乗者の操作負担を煩わすことなく、デュアルモードで電源を立ち上げることができる。
【００８８】
本発明の音響装置によれば、電子機器を外部接続し、この音響措置の電源がＯＦＦ中に、電子機器からの電源起動要求信号を検出すると、例えばデュアルモード等の第２モードで電源を立ち上げるようにしたので、例えば車室内のリア側に配置された電子機器と接続した場合、このリア側に配置された電子機器からでも、フロント側搭乗者の操作負担を煩わすことなく、デュアルモードで電源を立ち上げることができる。
【００８９】
本発明の音響装置によれば、電子機器の電源投入に応じて、この電子機器から出力される信号を電源起動要求信号としたので、例えばリア側に配置された電子機器の電源投入に連動して、フロント側搭乗者の操作負担を煩わすことなく、デュアルモードで音響装置の電源を立ち上げることができる。
【００９０】
本発明の音響装置によれば、電子機器内への記録媒体の挿入に応じて、この電子機器から出力される信号を電源起動要求信号としたので、例えばリア側に配置された電子機器への再生ディスク等の記録媒体の挿入に連動して、フロント側搭乗者の操作負担を煩わすことなく、デュアルモードで音響装置の電源を立ち上げることができる。
【００９１】
本発明の音響装置によれば、この音響装置の電源がＯＦＦ中に、例えばデュアルモード等の第２モードで電源が立ち上がると、例えばスピーカ等の第１出力手段の音声出力を停止状態としたので、例えばリア側の搭乗者がデュアルモードで電源を立ち上げたとしても、突然のスピーカ出力でフロント側搭乗者を脅かすような事態を確実に防止することができる。但し、上記した音声出力の停止状態は、フロント側操作部の操作により解除可能である。
【００９２】
本発明の音響装置によれば、この音響装置の電源がＯＦＦ中に、例えばデュアルモード等の第２モードで電源が立ち上がると、電源が立ち上がったことを示す電源起動情報と共に、音声出力が停止状態（ミュート中）であることを表示手段に表示させるようにしたので、例えばリア側の搭乗者がデュアルモードで電源を立ち上げたとしても、フロント側の搭乗者は、表示手段の表示内容に基づいて電源が立ち上がっていることを視覚的に認識することができる。
【００９３】
本発明の音響装置によれば、この音響装置の電源がＯＦＦ中に、例えばデュアルモード等の第２モードで電源が立ち上がると、ラスト情報記憶手段に記憶中のラスト音源情報を電源起動情報として表示手段に表示させるようにしたので、例えばリア側の搭乗者がデュアルモードで電源を立ち上げたとしても、フロント側の搭乗者は、表示手段の表示内容に基づいて電源が立ち上がっていることを視覚的に認識することができる。
【図面の簡単な説明】
【図１】本発明の音響装置に関わる実施の形態を示す車載用オーディオシステムの全体構成を示すシステム構成図である。
【図２】本実施の形態に関わる本体装置内部の概略構成を示すブロック図である。
【図３】本実施の形態に関わる本体装置のマイコン内部の概略構成を示すブロック図である。
【図４】本実施の形態に関わる本体装置の起動時モード設定処理に関わるマイコンの処理動作を示すフローチャートである。
【図５】一般的なデュアルメディア機能を備えた車載用オーディオシステムの全体構成を示すシステム構成図である。
【符号の説明】
１　車載用オーディオシステム
２　本体装置（音響装置）
４　リア側操作部（遠隔操作手段）
５　スピーカ（第１出力手段）
６　ヘッドホン（第２出力手段）
７　外部ＤＶＤ装置（電子機器）
１１　外部接続部（外部接続手段）
１２　ＣＤ再生部（音源）
１３　ＡＭ／ＦＭラジオ用チューナ部（音源）
１４　衛星ラジオ用チューナ部（音源）
２０　表示部（表示手段）
３６　モード設定記憶部（モード設定手段）
３７　モード設定部（モード設定手段）
３８　制御部（制御手段）
【図１】
2004118939.tif 000003
【図２】
2004118939.tif 000004
【図３】
2004118939.tif 000005
【図４】
2004118939.tif 000006
【図５】
2004118939.tif 000007